(57)【要約】【課題】  煙が目に入ることのない呼吸具本体であって、特に、煙を吸い込むことなく避難することができる呼吸具を提供することにある。【解決手段】  装着者の顔面に一定の流通空間を存して目と鼻および口を同時に覆い得るようにして密閉状に装着可能であるとともに吸気連通口と排気連通口とが開けられている前面透視可能型の呼吸具本体と、折れ曲がり自在な材質で装着者の身長よりも充分長い管状とされるとともにその一端が前記吸気連通口に連通状とされる一方他端側の吸入口が呼吸具本体から離れた位置に安定的に臨み周域流体を吸入可能とされた連通管とを備える。【選択図】  図１ 
2005144069.tif 000002
【特許請求の範囲】
【請求項１】
装着者の顔面に一定の流通空間を存して目と鼻および口を同時に覆い得るようにして密閉状に装着可能であるとともに吸気連通口と排気連通口とが開けられている前面透視可能型の呼吸具本体と、折れ曲がり自在な材質で装着者の身長よりも充分長い管状とされるとともにその一端が前記吸気連通口に連通状とされる一方他端側の吸入口が呼吸具本体から離れた位置に安定的に臨み周域流体を吸入可能とされた連通管とを備えた呼吸具。
【請求項２】
請求項１記載のものにおいて、吸入口を呼吸具本体から離れた位置に安定的に臨ませる手段は、連通管の他端側の吸入口付近に備えた重りとされている呼吸具。
【請求項３】
請求項１または２記載のものにおいて、連通管は、その途中に脱着可能な継手を備えていて、継手より先側部分を交換自在に構成してなる呼吸具。
【発明の詳細な説明】
【技術分野】
【０００１】
本発明は、火災発生時に煙が充満する室内から避難脱出を図る場合に緊急使用され得る呼吸具に関する。
【背景技術】
【０００２】
例えば、火災が発生すると、室内では煙に巻き込まれることにより正常な呼吸ができず、その結果として、尊い命を落とすケースが多く発生していた。
因みに日本消防庁の平成１３年度のデーターによると、火災で死亡した年間１３９０人もの人のうち煙に巻かれ一酸化炭素が原因で呼吸ができずに尊い命を落とした人は多数にのぼっていたとの報告がある。  
【発明の開示】
【発明が解決しようとする課題】
【０００３】
その対策案として、特開平８−６６４８５号公報による防煙マスクが開示されている。この防煙マスクは、マスク本体と、このマスク本体に備えた吸気専用弁と排気専用弁と吸気専用弁に連なる吸気パイプとからなり、吸気パイプが、不使用時には短尺の縮小姿勢を自己保持し、使用時にはほぼ身長長さに伸長しその伸長姿勢を自己保持する伸縮自在のパイプで形成されていることを特徴とするものである。
このものによれば、吸気パイプを伸縮することで、小さい空間でも保管ができ、大きな常備場所を必要としない点で利点を有する。しかし、この防煙マスクを火災現場で使用するとき、同マスクを装着しているにも拘わらず目は無防備であることから煙が目に入り、冷静かつ的確な避難行動をするには難が有り、そのことを防止するには別途防煙用のメガネを装着する必要があり、非常時には時間的ロスがでて避難に差し支えるものである。また、吸気パイプは使用時に伸長できるが、その下部先端が床面より高くなる可能性が高いため、煙を吸い込んで危険なものである。
上記に鑑み、本発明は、煙が目に入ることのない呼吸具本体であって、特に、煙を吸い込むことなく避難することができる呼吸具を提供することを目的とする。
【課題を解決するための手段】
【０００４】
上記課題を解決するため、請求項１記載の発明は、装着者の顔面に一定の流通空間を存して目と鼻および口を同時に覆い得るようにして密閉状に装着可能であるとともに吸気連通口と排気連通口とが開けられている前面透視可能型の呼吸具本体と、折れ曲がり自在な材質で装着者の身長よりも充分長い管状とされるとともにその一端が前記吸気連通口に連通状とされる一方他端側の吸入口が呼吸具本体から離れた位置に安定的に臨み周域流体を吸入可能とされた連通管とを備えている。
請求項２記載の発明は、請求項１記載のものにおいて、吸入口を呼吸具本体から離れた位置に安定的に臨ませる手段は、連通管の他端側の吸入口付近に備えた重りとされている。
請求項３記載の発明は、請求項１または２記載のものにおいて、連通管は、その途中に脱着可能な継手を備えていて、継手より先側部分を交換自在に構成してなる。
【発明の効果】
【０００５】
請求項１記載の発明は上記のように構成されて、呼吸具本体１つで目、鼻、口の全てが同時に覆われるようになるので、別途メガネを密着装備する必要なしに、発生した煙やガスなどから目が護られて、避難行動が冷静かつ的確になされるようになる。さらに、呼吸具本体に通じる連通管が装着者の身長よりも充分長く他端側の吸入口が呼吸具本体から離れた位置に安定的に臨み周域流体を吸入可能とされているので、例えば、火災で煙が発生した場合に床上に残る空気を安定に吸い込んで呼吸のために役立てることができるようになる。
請求項２記載の発明は上記のように構成されて、吸入口を呼吸具本体から離れた位置に安定的に臨ませる手段は、連通管の他端側の吸入口付近に備えた重りとされているので、同受入れ体が常時床上に添って連れ動くことになって、火災に伴って発生する煙の下方域として残る空気を確実に吸い込むことができるようになる。
請求項３記載の発明は上記のように構成されて、連通管の途中の脱着可能な継手により、それより先側部分を交換自在で、使用目的に合致した好適な呼吸具を提供することができる。
【発明を実施するための最良の形態】
【０００６】
図１は、本発明に係る呼吸具の一実施形態を示す。１は呼吸具本体で水中メガネに似た形状をなし、同本体１は、装着者の目、鼻、口を同時に覆って顔面に密着可能なゴム質の密着ボディ２と、同ボディ２の前面に透視可能なものとして固定されたガラス窓板（耐熱樹脂でもよい）３とを備えるとともに、緊急用であることから、ワンタッチで脱着可能な、例えば、面ファスナー４，４を互いに備えた締着具５，５を備えている。この締着具５，５はそれ自体をゴム質にして伸びて密着性を高めるようにしたり、あるいは、図に縦縞状に示す一部をゴム質の伸長部分６にしてもよい。締着具５は、その他の方式でもよい。
【０００７】
こうした呼吸具本体１の密着ボディ２上部には、吸気連通口８と排気連通口９が開けられており、それぞれの口８，９には、吸気用バルブ１０と排気用バルブ１１が設けられて、吸気用バルブ１０は、吸入作用のみが行われ装着者の吐く息が逆流しないような逆止タイプとされるとともに、排気用バルブ１１は、外部から煙が吸い込まれることなく内部から吐く息のみが排出されるように逆止タイプとされている。吸気連通口８と排気連通口９の配置は図示に限定されず、例えば、左右逆の配置にしたり、密着ボディ２の他の周部（左右側面や底面など）に配置してもよい。尚、排気用連通口９に連通して仮想線のような排煙強制管１２を例えば、Ｔ字パイプ状として接続し、ガラス窓板３を通じての透視を良好なものにするようにしてもよい。
【０００８】
呼吸具本体１の吸気連通口８には、２ｍ以上の長い連通管１５の一端が連通して接続されている。この連通管１５は、軟質樹脂のように折れ曲がりの自在な管とされている。連通管１５は、図２のように、その中途で第１管部Ａと第２管部Ｂに分かれ、これらを継手１６でワンタッチ式で脱着可能に接続することで１本の管として構成されている。下管Ｂの下端口には、吸入受入れ体１７が樹脂ケース状のものとして連通して接続されている。この吸入受入れ体１７は、軽量であると緊急避難時に浮動して煙を吸う可能性があることから、図示しない重りを内装するとともに、図１のように、その底面に吸入口１８を開口し、また、軽く連れ動くように底面に複数個（２乃至４個）からなる走行輪を配備してなる。尚、連通管１５の長さは、１．８乃至１．９ｍ程度でもよい。
【０００９】
図２は火災発生時に本呼吸具を用いて避難する様子を示している。２０は火災により発生した煙で、これら煙２０は、室内で充満はするが下方域２１のみは空気が残る現象になることが通例である。本呼吸具はそのことに着目した特殊器具であり、すなわち、火災が発生すると、適所に設置した避難具入れから本呼吸具の１セットを取り出すとともに、連通管１５を伸ばして締着具５により呼吸具本体１を顔面に密着して装着するようにする。これにより、装着者の目、鼻、口の全体が呼吸具本体１内に覆われて同時連通した状態になる。連通管１５は、頭上から背中を通って図２のように降ろした状態にして足障りなく避難できるようにするが、このとき、連通管１５の位置決めのため、締込バンド２２で避難者に縛り着けるようにしておいてもよい。
【００１０】
吸入受入れ体１７は、図のように床上にあり、この状態になれば避難者が息を吸えば連通管１５を通じて吸入受入れ体１７の吸入口１８を通じて下方域２１の空気が吸入されて息を抵抗なく吸うことができるようになる。この際、排気用バルブ１１は閉止しているので、排気連通口９を通じて煙が入り込むおそれはない。一方、息を吐くと、吸気バルブ１０は閉止して排気が吸気系に不測に入り込むおそれがなく、その一方で、排気用バルブ１１は開放されるので、その連通口９の方から排気がなされるようになる。こうした動作により避難者は抵抗なく無事に避難することができる。
尚、前記実施例では、連通管１５の先端に吸入受入れ体１７を備えて連通状にしたが、図２の右上欄に示すように、連通管１５の先端を吸入口１８として開放状にし、その吸入口１８付近に直接重り１３をつけて安定に連れ動かし得るようにしてもよい。
【００１１】
図３は他の実施例で、有毒ガスが発生したり酸素が欠乏したりするおそれがある工事現場に呼吸具をしようしたものを示す。２５は地上面で、同地上面２５からは、深く竪穴２６が掘られ、その穴底で今作業者２７が所定の作業をする。作業をする前に、上記第２管部Ｂより長い第２管部Ｃを用意して、同管部Ｃを継手１６により第１管部Ａに接続したあと、第２管部Ｃの吸入口１８側端部を止着具２８により杭２９に止め着けておき、呼吸具本体１をもって竪穴２６内に入る。竪穴２６内では、ヘルメット３０を被る作業者２７は、上記危険のおそれを想定して顔面に呼吸具本体１を装着するようにする。このとき、吸入口１８からの新気が常時呼吸具本体１内に吸入されるとともに排気連通口９から排気がなされるので、仮に竪穴２６内で有毒ガスが発生したり酸素が欠乏したりしてもそれに関係なく安全に作業及び避難することができる。尚、図３の例では連通管１５の上端に重りを付けて安定化させるようにしてもよい。
【図面の簡単な説明】
【００１２】
【図１】本発明の一実施例を示す呼吸具の斜視図。
【図２】図１の呼吸具を使用して火災現場を避難する様子を示す説明図。
【図３】他の実施例を示す縦断面図。
【符号の説明】
【００１３】
１    呼吸具本体  
２    ボディ
３    カラス窓
４    フアィナー
５    締め金具
６    伸長部
８    呼吸連通口
９    排気連通口
１０  吸気パルプ
１１  排気パルプ
１２  排気強制管
１３  重り
１５  連通管
１６  継ぎ手
１７  吸入口受け入れ本体
１８  吸入口
２０  煙
２１  綺麗な空気
２５  地面
２６  穴
２７  作業者
２９  杭
３０  ヘルメット
【図１】
2005144069.tif 000003
【図２】
2005144069.tif 000004
【図３】
2005144069.tif 000005